(57)【要約】【課題】コンテンツに係る情報の訴求効果を向上させることができる。【解決手段】本願に係る情報表示プログラムは、コンピュータに、表示サイズが縦長の動画像を取得する取得手順と、表示サイズが縦長のウェブコンテンツ内に配置された横長の表示領域内に、前記取得手順により取得された動画像を配置して表示する表示手順とを実行させる。このため、例えば、端末装置１００は、縦長のウェブページＣ１０に配置された横長の表示領域Ｃ１１内に、縦長のコンテンツであって、表示サイズが画面よりも小さいコンテンツＣ１３〜Ｃ１６からなる動画像を表示することができる。【選択図】図１
2017146430.tif 000002
【特許請求の範囲】
【請求項１】
コンピュータに、
表示サイズが縦長の動画像を取得する取得手順と、
表示サイズが縦長のウェブコンテンツ内に配置された横長の表示領域内に、前記取得手順により取得された動画像を配置して表示する表示手順と
を実行させるための情報表示プログラム。
【請求項２】
前記取得手順は、前記動画像として、アスペクト比が画面の縦横比と略同一の動画像を取得する
ことを特徴とする請求項１に記載の情報表示プログラム。
【請求項３】
前記取得手順は、前記動画像として、画面よりも表示サイズが小さい動画像を取得する
ことを特徴とする請求項１または２に記載の情報表示プログラム。
【請求項４】
前記表示手順は、前記動画像として、利用者により選択された際に所定のコンテンツに遷移可能な動画像を表示する
ことを特徴とする請求項１〜３のうちいずれか１つに記載の情報表示プログラム。
【請求項５】
前記表示手順は、前記ウェブコンテンツをスクロールさせる操作の結果、前記表示領域のうち所定の範囲が画面内に表示された場合には、当該表示領域内に前記動画像を配置して表示する
ことを特徴とする請求項１〜４のうちいずれか１つに記載の情報表示プログラム。
【請求項６】
前記取得手順は、前記動画像が利用者により選択された場合には、表示サイズが画面と略同一の動画像を新たに取得し
前記表示手順は、前記表示領域内に配置された動画像が利用者により選択された場合には、前記取得手順によって新たに取得された表示サイズが画面と略同一の動画像を表示する
ことを特徴とする請求項１〜５のうちいずれか１つに記載の情報表示プログラム。
【請求項７】
前記表示手順は、前記表示領域内に配置された動画像が利用者により選択された場合には、当該利用者により選択された際における当該動画像の再生位置を示す再生位置情報に基づいた再生位置から、前記取得手順によって新たに取得された表示サイズが画面と略同一の動画像の再生を開始する
ことを特徴とする請求項６に記載の情報表示プログラム。
【請求項８】
前記取得手順は、前記表示領域内に配置された動画像が利用者により選択された場合には、前記表示サイズが画面と略同一の動画像のうち、当該利用者により選択された際における当該動画像の再生位置を示す再生位置情報に基づいた再生位置よりも後の範囲を取得する
ことを特徴とする請求項６または７に記載の情報表示プログラム。
【請求項９】
前記表示手順は、前記動画像が利用者により選択された場合には、前記選択された動画像の表示サイズを徐々に拡大し、当該動画像の表示サイズが前記画面と略同一の大きさとなった場合には、前記取得手順によって新たに取得された動画像を表示する
ことを特徴とする請求項６〜８のうちいずれか１つに記載の情報表示プログラム。
【請求項１０】
前記表示手順は、前記表示領域として、背面に配置されたコンテンツを透過させる表示領域内に前記取得手順により取得された動画像を配置するとともに、前記ウェブコンテンツの背面に、表示サイズを拡大させるとともに輪郭を不鮮明にした前記動画像を配置して表示する
ことを特徴とする請求項１〜９のうちいずれか１つに記載の情報表示プログラム。
【請求項１１】
前記取得手順は、前記動画像として、表示サイズが画面よりも小さい複数の画像を取得し、
前記表示手順は、前記取得手順により前記動画像として取得された画像を前記表示領域内に配置して表示するとともに、表示される画像を順次切り替える
ことを特徴とする請求項１〜１０のうちいずれか１つに記載の情報表示プログラム。
【請求項１２】
前記表示手順は、前記取得手順により取得された動画像を再生した状態で表示する
ことを特徴とする請求項１〜１１のうちいずれか１つに記載の情報表示プログラム。
【請求項１３】
前記表示手順は、利用者により選択された際に所定の第１コンテンツへと遷移可能なコンテンツと、前記利用者により選択された際に所定の第２コンテンツへと遷移可能な動画像とが配置された表示領域を表示する
ことを特徴とする請求項１〜１２のうちいずれか１つに記載の情報表示プログラム。
【請求項１４】
表示サイズが縦長の動画像を取得する取得部と、
表示サイズが縦長のウェブコンテンツ内に配置された横長の表示領域内に、前記取得部により取得された動画像を配置して表示する表示部と
を有することを特徴とする情報表示装置。
【請求項１５】
情報表示装置が実行する情報表示方法であって、
表示サイズが縦長の動画像を取得する取得工程と、
表示サイズが縦長のウェブコンテンツ内に配置された横長の表示領域内に、前記取得工程により取得された動画像を配置して表示する表示工程と
を含むことを特徴とする情報表示方法。
【請求項１６】
ウェブコンテンツを表示する端末装置から動画像の配信要求を受付けた場合には、当該端末装置が有する画面よりも表示サイズが縦長の動画像とともに制御情報を配信する配信部を備え、
前記制御情報は、
前記動画像を取得する取得手順と、
表示サイズが縦長のウェブコンテンツ内に配置された横長の表示領域内に、前記取得手順により取得された動画像を配置して表示する表示手順と
を実行させることを特徴とする配信装置。
【発明の詳細な説明】
【技術分野】
【０００１】
本発明は、情報表示プログラム、情報表示装置、情報表示方法および配信装置に関する。
【背景技術】
【０００２】
近年、インターネットの飛躍的な普及に伴い、インターネットを介した情報配信が盛んに行われている。例えば、所定の表示領域がウェブページ内に配置されている場合は、表示領域内に配置して表示するコンテンツとして、表示サイズが表示領域と同じコンテンツを取得し、取得したコンテンツを表示領域内に配置して表示する技術が知られている。また、所定の表示領域内に所定のコンテンツを配置し、表示領域が可視領域に入るタイミングを検出すると、コンテンツの表示態様を変化させる技術が知られている。
【先行技術文献】
【特許文献】
【０００３】
【特許文献１】特開２０１１−１２８２０４号公報
【発明の概要】
【発明が解決しようとする課題】
【０００４】
しかしながら、上記の従来技術では、コンテンツに係る情報の訴求効果が必ずしも高いとは言えない場合がある。例えば、上記の従来技術では、表示領域と同じ表示サイズのコンテンツを可視領域内に表示しているに過ぎず、利用者の興味を生じさせることができない場合がある。
【０００５】
本願は、上記に鑑みてなされたものであって、コンテンツに係る情報の訴求効果を向上させる情報表示プログラム、情報表示装置、情報表示方法および配信装置を提供することを目的とする。
【課題を解決するための手段】
【０００６】
本願に係る情報表示プログラムは、コンピュータに、表示サイズが縦長の動画像を取得する取得手順と、表示サイズが縦長のウェブコンテンツ内に配置された横長の表示領域内に、前記取得手順により取得された動画像を配置して表示する表示手順とを実行させる。
【発明の効果】
【０００７】
実施形態の一態様によれば、動画像を含むコンテンツに係る情報の訴求効果を向上させる情報表示プログラム、情報表示装置、情報表示方法および配信装置を提供することができる。
【図面の簡単な説明】
【０００８】
【図１】図１は、実施形態に係る端末装置の一例を示す図である。
【図２】図２は、実施形態に係る配信システムの構成例を示す図である。
【図３】図３は、実施形態に係る広告配信サーバの構成例を示す図である。
【図４】図４は、実施形態に係る広告データベースに格納された情報の一例を示す図である。
【図５】図５は、実施形態に係るコンテンツ配信サーバの構成例を示す図である。
【図６】図６は、実施形態に係る端末装置の構成例を示す図である。
【図７】図７は、実施形態に係る端末装置が実行する表示処理のバリエーションについて説明する図である。
【図８】図８は、実施形態にかかる端末装置がコンテンツを配置する処理の一例を示す図である。
【図９】図９は、端末装置がコンテンツの出し分けを行う処理の一例を示す図である。
【図１０】図１０は、実施形態に係る端末装置が実行する表示処理の流れの一例を示すフローチャートである。
【図１１】図１１は、ハードウェア構成の一例を示す図である。
【発明を実施するための形態】
【０００９】
以下に、本願に係る情報表示プログラム、情報表示装置、情報表示方法および配信装置を実施するための形態（以下、「実施形態」と記載する。）について図面を参照しつつ詳細に説明する。なお、この実施形態により本願に係る情報表示プログラム、情報表示装置、情報表示方法および配信装置が限定されるものではない。また、以下の各実施形態において同一の部位には同一の符号を付し、重複する説明は省略される。
【００１０】
〔１．端末装置の一例〕
まず、図１を用いて、情報表示装置の一例である端末装置１００が実行する処理の一例について説明する。図１は、実施形態に係る端末装置の一例を示す図である。図１では、端末装置１００によって、ウェブページＣ１０およびコンテンツＣ１２を画面上に表示するとともに、静止画像であるコンテンツＣ１３〜Ｃ１６を順次切り替えて表示することで、画面上に動画像として表示する例について記載した。
【００１１】
なお、以下の説明では、ウェブページＣ１０やコンテンツＣ１２〜Ｃ１６を画面に表示する際に基準となる位置であり、ウェブページＣ１０やコンテンツＣ１２〜Ｃ１６を表示する際に、画面上の最も上側に配置される端をウェブページＣ１０やコンテンツＣ１２〜Ｃ１６の上端と記載する。また、ウェブページＣ１０やコンテンツＣ１２〜Ｃ１６を画面に表示する際に生じる端のうち、画面上の最も下側に配置される端をウェブページＣ１０やコンテンツＣ１２〜Ｃ１６の下端と記載する。
【００１２】
また、以下の説明では、端末装置１００が有する画面上において、コンテンツＣ１０の上端が表示される方向を画面上方向と記載し、画面上においてコンテンツＣ１０の下端が表示される方向を画面下方向と記載する。また、端末装置１００が有する画面上において、コンテンツＣ１０の左側の端が表示される方向を画面左方向と記載し、画面上においてコンテンツＣ１０の右側の端が表示される方向を画面右方向と記載する。
【００１３】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面を有する。
【００１４】
ここで、端末装置１００が有する画面は、長方形の画面を有しているものとする。より具体的には、端末装置１００が有する画面は、縦方向の長さが横方向の長さよりも長い縦長の画面を有するものとする。また、以下の説明では、端末装置１００は、画面が縦長となる状態で使用される例について記載するが、実施形態は、これに限定されるものではなく、画面が横長となる状態で使用されてもよい。また、端末装置１００には、タッチパネルが採用されているものとする。すなわち、端末装置１００の利用者は、指やスタイラスで画面をタッチすることにより各種操作を行う。
【００１５】
ウェブページＣ１０は、例えば、ニュース、天気予報、受信メールのインデックスや内容、フォトビュワー、その他各種のコンテンツが配置されたウェブページであり、ＨＴＭＬ（Hyper  Text  Markup  Language）やＸＭＬ（Extensible  Markup  Language）等で記述された、いわゆるポータルサイトのウェブページである。
【００１６】
例えば、ウェブページＣ１０は、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツである。また、ウェブページＣ１０には、広告に関連するコンテンツが配置されたタイルが随時挿入される。なお、ウェブページＣ１０に配置される各タイルの大きさ、配置位置、配置されるタイルの数は、タイルごとに自動で変更されてもよく、利用者の操作に応じて変更されてもよい。また、ウェブページＣ１０には、検索キーワードを入力するための入力欄や、他のウェブページへのリンク等が含まれていてもよい。
【００１７】
また、ウェブページＣ１０は、スマートデバイス用に最適化されたウェブページであり、横方向の表示サイズが、端末装置１００が有する画面の横方向の表示サイズと同じウェブページであるものとする。また、ウェブページＣ１０は、縦方向の表示サイズが、端末装置１００が有する出力部１３０の縦方向の表示サイズよりも長い（以下、縦長と記載する。）ウェブページであり、端末装置１００の利用者の属性、利用者が選択したタイルに配置されたコンテンツの内容、入力した検索キーワード等により、タイルに配置されるコンテンツの内容や順序が変更されるものとする。
【００１８】
ここで、ウェブページＣ１０には、ウェブページＣ１０とは別のサーバから取得されるコンテンツＣ１２〜Ｃ１６を配置して表示するための領域であって、縦方向の表示サイズよりも横方向の表示サイズの方が長い（以下、横長と記載する。）表示領域Ｃ１１が配置されている。すなわち、端末装置１００は、横長の表示領域Ｃ１１が配置された縦長のウェブページＣ１０の配信を受付けて表示することとなる。
【００１９】
コンテンツＣ１２は、表示領域Ｃ１１内に配置されて表示されるコンテンツであり、例えば、縦方向の表示サイズが表示領域Ｃ１１の縦方向の表示サイズと同じ画像である。また、コンテンツＣ１３〜Ｃ１６は、表示領域Ｃ１１内に配置されるとともに、順次切り替えて表示されることで動画像として表示される画像であり、例えば、ＧＩＦ（Graphics  Interchange  Format）動画等により実現される。ここで、コンテンツＣ１３〜Ｃ１６は、表示サイズが縦長のコンテンツであり、縦方向の長さと横方向の長さとの比であるアスペクト比が、端末装置１００の画面が有するアスペクト比と同一または類似（以下、略同一と記載する。）のコンテンツである。
【００２０】
ここで、コンテンツＣ１２およびコンテンツＣ１３〜Ｃ１６は、任意のコンテンツが適用可能である。例えば、コンテンツＣ１２〜Ｃ１６は、広告に係るコンテンツ（以下、広告コンテンツと記載する。）である。より具体的には、コンテンツＣ１２〜Ｃ１６は、表示領域Ｃ１１に配置して表示される広告に係るコンテンツとして配信されるコンテンツであり、所定の商品、役務、若しくは他のコンテンツ等に関する情報を利用者に伝えるためのコンテンツである。
【００２１】
ここで、広告に係るコンテンツとは、営利若しくは非営利の広告だけではなく、ボランティアの募集、公共広告、公共に対する通知、ウェブページＣ１０にかかる情報の一部、その他任意のコンテンツであるものとする。すなわち、コンテンツＣ１２〜Ｃ１６は、いわゆる広告関連の情報を含むコンテンツのみならず、利用者に興味を抱かせ、コンテンツＣ１２〜Ｃ１６に含まれる情報、または、コンテンツＣ１２〜Ｃ１６と関連するコンテンツ（例えば、ランディングページ等）に含まれる情報を広く報知するものであれば、画像、動画像、文字、図形、記号、ハイパーリンク、その他任意のコンテンツを適用可能である。すなわち、利用者に対してウェブページＣ１０よりも興味を生じさせようとするコンテンツであれば、任意のコンテンツをコンテンツＣ１２〜Ｃ１６として適用可能である。
【００２２】
端末装置１００は、ウェブページＣ１０の配信を受けると、広告に係るコンテンツの配信を行う広告配信サーバ２０に配信要求を送信する。そして、端末装置１００は、広告配信サーバ２０から広告に係るコンテンツとして、コンテンツＣ１２〜Ｃ１６の配信を受けると、ウェブページＣ１０とコンテンツＣ１２〜Ｃ１６とを表示する。
【００２３】
〔２．端末装置１００が実行する処理〕
ここで、従来技術では、表示領域Ｃ１１に表示する広告コンテンツとして、表示領域Ｃ１１の表示サイズと同じ表示サイズの広告コンテンツを取得し、取得した広告コンテンツをウェブページＣ１０とともに表示する。しかしながら、このような表示を行った場合には、コンテンツを通常の表示態様で表示しているに過ぎず、コンテンツに関する情報の訴求効果を向上させることができない場合がある。
【００２４】
〔２−１．表示処理〕
そこで、端末装置１００は、以下の表示処理を実行する。まず、端末装置１００は、表示サイズが縦長の動画像を取得する。そして、端末装置１００は、表示サイズが縦長のウェブページＣ１０内に配置された横長の表示領域Ｃ１１内に、取得した縦長の動画像を配置して表示する。より具体的には、端末装置１００は、縦長の画像であるコンテンツＣ１３〜Ｃ１６を動画像として取得し、取得したコンテンツＣ１３〜Ｃ１６を動画像として横長の表示領域Ｃ１１内に配置して表示する。
【００２５】
以下、端末装置１００が実行する表示処理の具体例について説明する。例えば、端末装置１００は、利用者の操作に応じて、コンテンツ配信サーバ３０からウェブページＣ１０の配信を受付ける。ここで、ウェブページＣ１０には、表示領域Ｃ１１に配置する広告コンテンツを広告配信サーバ２０から取得する旨を指示する取得指示が含まれている。このような場合、端末装置１００は、広告配信サーバ２０から、表示領域Ｃ１１に配置して表示するためのコンテンツとして、コンテンツＣ１２〜Ｃ１６の配信を要求し、コンテンツＣ１２〜Ｃ１６の配信を受付ける。
【００２６】
続いて、端末装置１００は、ウェブページＣ１０に配置された表示領域Ｃ１１内に、コンテンツＣ１２を配置する。そして、端末装置１００は、ウェブページＣ１０を表示するとともに、ウェブページＣ１０に対する利用者の操作を受付ける。例えば、端末装置１００は、ウェブページＣ１０のうち表示される領域を移動させるスクロール操作や、ウェブページＣ１０に含まれるリンク等を選択するためのタップ操作等を受付ける。
【００２７】
ここで、端末装置１００は、ウェブページＣ１０に対するスクロール操作の結果、表示領域Ｃ１１が画面内に表示された場合には、表示領域Ｃ１１にコンテンツＣ１２が配置されているといった態様で、コンテンツＣ１２を表示する。そして、端末装置１００は、表示領域Ｃ１１の全体が画面内に表示された場合や、表示領域Ｃ１１のうち所定の割合が画面内に表示された場合等、表示領域Ｃ１１のうち、所定の領域が表示された場合には、表示領域Ｃ１１内に縦長の動画像を配置して表示する。
【００２８】
より具体的には、端末装置１００は、コンテンツＣ１２の一部に、表示サイズが画面よりも小さい画像であって、アスペクト比が画面と略同一の画像であるコンテンツＣ１３を重ねて表示するとともに、コンテンツＣ１３を他のコンテンツＣ１４〜Ｃ１６に順次切り替える。すなわち、端末装置１００は、縦長のウェブページＣ１０が有する横長の表示領域に、縦長の動画像であって、アスペクト比が画面の縦横比と略同一の動画像が配置され、その動画像が再生されているといった態様で、ウェブページＣ１０やコンテンツＣ１２〜Ｃ１６を表示する。
【００２９】
すなわち、端末装置１００は、第１の方向の大きさが、第１の方向に直行する第２の方向の大きさよりも長い画面を有する。また、端末装置１００は、このような画面に表示するためのウェブページＣ１０として、第１の方向の表示サイズが、第２の方向の表示サイズよりも大きい（長い）ウェブページＣ１０の配信を受付ける。ここで、ウェブページＣ１０には、第１の方向の表示サイズが、第２の方向の表示サイズよりも小さい（短い）表示領域Ｃ１１が配置されている。そして、端末装置１００は、このような表示領域Ｃ１１に配置して表示するコンテンツとして、第１の方向の表示サイズが、第２の方向の表示サイズよりも大きい（長い）コンテンツＣ１３〜Ｃ１６を取得し、取得したコンテンツＣ１３〜Ｃ１６を動画像として表示する。
【００３０】
ここで、画面よりも小さい表示サイズの動画像は、画面と同じ表示サイズの動画像よりもデータ量が少なくなる。このため、端末装置１００は、ウェブページＣ１０の配信時にコンテンツＣ１３〜Ｃ１６を取得した場合には、画面と同じ表示サイズの動画像を取得するよりもレスポンスの改善や通信量の削減を実現できる。しかしながら、画面よりも小さい表示サイズの動画像は、それが動画像である旨を利用者に示唆することができるものの、動画像が利用者に伝えようとする情報を利用者に提示することができない場合がある。
【００３１】
そこで、端末装置１００は、画面よりも小さい表示サイズの動画像に対して、利用者が興味を有すると判定可能な場合には、画面と略同一の表示サイズの動画像を改めて取得し、取得した動画像を表示する。例えば、端末装置１００は、表示領域Ｃ１１内に表示されたコンテンツＣ１３〜Ｃ１６が利用者によって選択された場合には、コンテンツＣ１３〜Ｃ１６を順次切り替えることで表示される動画像と同じ内容の動画像であって、表示サイズが画面と略同一の動画像Ｍ１０を新たに取得する。
【００３２】
続いて、端末装置１００は、コンテンツＣ１３〜Ｃ１６のうち、選択されたコンテンツを徐々に拡大する。例えば、端末装置１００は、コンテンツＣ１３が画面に表示されている際に、利用者がコンテンツＣ１３を選択した場合には、コンテンツＣ１３の表示サイズを徐々に拡大する。そして、端末装置１００は、コンテンツＣ１３の表示サイズが所定の大きさよりも大きくなった場合には、新たに取得した動画像Ｍ１０を画面全体に表示する。なお、端末装置１００は、コンテンツＣ１３〜Ｃ１６を順次切替ながら、コンテンツＣ１３〜Ｃ１６の表示サイズを徐々に拡大してもよい。
【００３３】
〔２−２．ランディングページの表示について〕
上述した説明では、端末装置１００は、利用者がコンテンツＣ１３〜Ｃ１６を選択すると、表示サイズが画面と略同一の動画像Ｍ１０を取得し、取得した動画像Ｍ１０を表示した。しかしながら、実施形態は、これに限定されるものではない。例えば、端末装置１００は、選択されたコンテンツＣ１３〜Ｃ１６に関連するウェブページであって、コンテンツＣ１３〜Ｃ１６と同一または関連する広告対象に関する情報が配置されたウェブページ（以下、ランディングページと記載する場合がある。）に遷移可能なコンテンツＣ１３〜Ｃ１６を表示してもよい。また、端末装置１００は、ランディングページ以外にも、例えば、所定の画像、動画像、音声、その他任意のコンテンツに遷移可能なコンテンツＣ１３〜Ｃ１６を表示してもよい。
【００３４】
また、端末装置１００は、利用者がコンテンツＣ１２を選択した際と、利用者がコンテンツＣ１３〜Ｃ１６を選択した際とで、異なるコンテンツを表示してもよい。例えば、端末装置１００は、利用者がコンテンツＣ１２を選択した場合には、所定のランディングページを表示し、利用者がコンテンツＣ１３〜Ｃ１６を選択した場合には、コンテンツＣ１３〜Ｃ１６を順次切り替えることで表示される動画像と内容が同じ動画像であって、表示サイズが画面と略同一の動画像Ｍ１０を表示してもよい。
【００３５】
〔２−３．動画像の表示態様について〕
また、上述した例では、端末装置１００は、コンテンツＣ１２の一部に動画像を配置して表示した。しかしながら、実施形態は、これに限定されるものではない。例えば、端末装置１００は、表示領域Ｃ１１内に、縦長の動画像を複数配置して表示してもよい。また、端末装置１００は、各動画像が利用者に選択された場合には、選択された動画像に対応する動画像であって、表示サイズが画面と略同一の動画像を取得して表示してもよく、選択された動画像に対応するランディングページを表示してもよい。すなわち、端末装置１００は、選択された際にそれぞれ異なるコンテンツへと遷移可能な動画像であって、表示サイズが画面よりも小さい複数の動画像を表示領域Ｃ１１に配置して表示してもよい。
【００３６】
〔２−４．複数の動画像の表示について〕
また、上述した例では、端末装置１００は、表示領域Ｃ１１内に、表示サイズが表示領域Ｃ１１よりも小さい縦長の動画像を表示した。ここで、端末装置１００は、表示領域Ｃ１１内に、このような動画像を複数配置して表示してもよい。例えば、端末装置１００は、表示領域Ｃ１１の全体が画面内に表示された場合には、表示領域Ｃ１１内に配置されたコンテンツＣ１２のうち、中央から画面右側の領域に第１の動画像を配置して表示し、中央から画面左側の領域に第２の動画像を配置して表示してもよい。
【００３７】
また、端末装置１００は、利用者が第１の動画像を選択した場合には、第１の動画像と内容が同一の動画像であって、表示サイズが画面と略同一の動画像を取得して表示する。また、端末装置１００は、利用者が第２の動画像を選択した場合には、第２の動画像と内容が同一の動画像であって、表示サイズが画面と略同一の動画像を取得して表示してもよい。また、端末装置１００は、利用者が第１の動画像を選択した際と第２の動画像を選択した際とで、異なるランディングページを表示してもよい。
【００３８】
〔２−５．動画像の再生態様について〕
ここで、端末装置１００は、利用者がコンテンツＣ１３〜Ｃ１６による動画像を選択した際に、任意の態様で動画像Ｍ１０の再生を行ってよい。例えば、端末装置１００は、動画像Ｍ１０の先頭から再生を開始してよい。また、例えば、端末装置１００は、利用者がコンテンツＣ１３〜Ｃ１６による動画像を選択した際における動画像の再生位置を示す再生位置情報を生成し、動画像Ｍ１０のうち、生成した再生位置情報が示す再生位置と対応する再生位置から再生を開始してもよい。
【００３９】
より具体的には、端末装置１００は、コンテンツＣ１４を利用者が選択した場合には、動画像Ｍ１０のうち、コンテンツＣ１４に対応する再生位置、または、コンテンツＣ１４の次に表示されるコンテンツＣ１５に対応する再生位置から再生を開始してもよい。すなわち、端末装置１００は、あたかも、表示サイズが画面と同じ動画像Ｍ１０の表示サイズを縮小した状態で表示領域Ｃ１１に配置して再生し、利用者が動画像を選択した場合には、再生を継続させながら表示サイズを画面全体まで拡大するといった対応で動画像Ｍ１０を再生してもよい。
【００４０】
また、端末装置１００は、動画像Ｍ１０のうち、再生位置情報が示す再生位置よりも後の範囲を取得してもよい。例えば、端末装置１００は、コンテンツＣ１４を利用者が選択した場合には、動画像Ｍ１０のうち、コンテンツＣ１４またはコンテンツＣ１５に対応する再生位置よりも後の範囲を再生するためのデータの配信を広告配信サーバ２０に対して要求し、配信を受付けてもよい。このような処理を実行することで、端末装置１００は、動画像Ｍ１０の再生に要する通信量を削減することができる。
【００４１】
〔２−６．その他〕
なお、上述した説明では、端末装置１００は、アスペクト比が画面と略同一のコンテンツＣ１３〜Ｃ１６を取得し、取得したコンテンツＣ１３〜Ｃ１６を順次切り替えることで、表示領域Ｃ１１内にアスペクト比が画面と略同一の動画像を表示した。このような処理を実行した場合には、端末装置１００のＯＳ（Operating  System）やブラウザが、動画像を再生させつつウェブページＣ１０を表示するといった表示態様に対応していない場合にも、ウェブページＣ１０の表示領域Ｃ１１に表示サイズが画面よりも小さい動画像を再生させながら配置するといった表示態様を実現することができる。
【００４２】
しかしながら、実施形態は、これに限定されるものではない。例えば、端末装置１００は、表示サイズが画面よりも小さい動画像として、ｍｐｅｇ（Moving  Picture  Experts  Group）方式等の動画像のデータを取得し、取得した動画像を表示領域Ｃ１１に配置して表示してもよい。このような動画像のデータには、補完フレームが含まれているので、端末装置１００は、各コンテンツＣ１３〜Ｃ１６を順次切り替えることで動画像を実現するよりも、通信量を削減することができる。
【００４３】
〔２−７．表示処理の一例〕
以下、図１を用いて、端末装置１００が実行する表示処理の一例について説明する。まず端末装置１００は、横長の表示領域Ｃ１１が配置された縦長のコンテンツであるウェブページＣ１０の配信を受付ける。このような場合、端末装置１００は、表示領域Ｃ１１に表示するコンテンツの配信要求を広告配信サーバ２０に送信し、コンテンツＣ１２の配信を受付けるとともに、表示サイズが画面よりも小さい画像であって、アスペクト比が画面と略同一の画像、すなわち、縦長の画像Ｃ１３〜Ｃ１６の配信を受付ける。
【００４４】
このような場合、端末装置１００は、表示領域Ｃ１１内にコンテンツＣ１２を配置した状態で、ウェブページＣ１０を表示する。例えば、端末装置１００は、第１状態に示す例では、画面内に表示領域Ｃ１１が含まれていないため、ウェブページＣ１０のみを表示する。そして、端末装置１００は、第１状態に示すように、利用者の指Ｆ１０が画面上方向へとウェブページＣ１０をスクロールさせる操作を行った場合には、ウェブページＣ１０を画面上方向へとスクロールさせる。
【００４５】
また、端末装置１００は、スクロール操作の結果、画面内まで表示領域Ｃ１１を移動させた場合には、表示領域Ｃ１１内にコンテンツＣ１２を配置した状態で表示する。そして、端末装置１００は、第２状態に示すように、表示領域Ｃ１１の全体が画面内に表示された場合には、第３状態に示すように、コンテンツＣ１２の前面にコンテンツＣ１３を配置して表示する。より具体的には、端末装置１００は、コンテンツＣ１２のうち画面右側の領域に、縦長の画像であるコンテンツＣ１３を配置して表示する。続けて、端末装置１００は、第４状態に示すように、コンテンツＣ１３をコンテンツＣ１４に切替えて表示する。このように、端末装置１００は、コンテンツＣ１３〜Ｃ１６を順次切り替えて表示することで、縦長のウェブページＣ１０に配置された横長の表示領域Ｃ１１内に、縦長の動画像を配置して表示するといった表示態様を実現することができる。
【００４６】
また、端末装置１００は、利用者の指Ｆ１０がコンテンツＣ１３〜Ｃ１６をタップした場合には、コンテンツＣ１３〜Ｃ１６の表示サイズを徐々に拡大し、コンテンツＣ１３〜Ｃ１６の表示サイズを画面と略同一のサイズまで拡大した場合には、コンテンツＣ１３〜Ｃ１６と同じ内容の動画像Ｍ１０を表示する。例えば、端末装置１００は、第４状態に示すように、利用者の指Ｆ１０がコンテンツＣ１４をタップした場合には、動画像Ｍ１０の取得を開始するとともに、第５状態に示すように、表示サイズを拡大させた状態で、コンテンツＣ１４の次に表示されるコンテンツＣ１５を表示する。そして、端末装置１００は、コンテンツＣ１３〜Ｃ１６を切替えながらコンテンツＣ１３〜Ｃ１６の表示サイズを徐々に拡大し、コンテンツＣ１３〜Ｃ１６の表示サイズを画面のサイズと略同一のサイズまで拡大した場合には、第６状態に示すように、動画像Ｍ１０を画面全体に表示して再生させる。
【００４７】
このように、端末装置１００は、表示サイズが縦長のウェブページＣ１０内に配置された横長の表示領域Ｃ１１内に、縦長の動画像を配置して表示する。このため、表示領域Ｃ１１の一部に表示サイズが画面よりも小さい動画像を配置して表示した場合には、動画像Ｍ１０が示す情報の全てを利用者に伝えることはできないものの、動画像Ｍ１０の存在を利用者に示唆することができる。この結果、端末装置１００は、表示領域Ｃ１１に表示された動画像を利用者が選択する動機付けを与えることができるので、表示領域Ｃ１１に表示された動画像（コンテンツＣ１３〜Ｃ１６）や、動画像Ｍ１０に関連する情報の訴求効果を向上させることができる。
【００４８】
〔２−８．実行主体について〕
なお、上記では説明を省略したが、端末装置１００は、上述した表示処理を任意の手法で実現することができる。例えば、端末装置１００は、上述した表示処理を端末装置１００に実行させるアプリケーションをあらかじめダウンロードし、任意のタイミングでアプリケーションを起動することで、上述した表示処理を実現してもよい。例えば、アプリケーションは、起動されると、ウェブページＣ１０とコンテンツＣ１３〜Ｃ１６、または、動画像Ｍ１０と同一の内容で表示サイズが動画像Ｍ１０よりも小さい動画像の配信を受け付け、図１に示した表示処理を実現してもよい。
【００４９】
また、端末装置１００は、ウェブページＣ１０やコンテンツＣ１２〜Ｃ１６の配信と同時に、ウェブブラウザ等、汎用のプログラムに上述した表示処理を実行させる制御情報の配信を受付ける。そして、端末装置１００は、制御情報に従って上記した表示処理を行ってもよい。
【００５０】
また、端末装置１００は、上述した制御情報に従って、上述した表示処理を実現するアプリケーションや、上述した表示処理を実現するアプリケーションそのものを制御情報として取得してもよい。例えば、端末装置１００は、利用者の操作に従って、上述した表示処理を実現するアプリケーションをダウンロードし、かかるアプリケーションを自装置にインストールする。かかるアプリケーションは、起動されると、利用者からの操作に応じてウェブページＣ１０とコンテンツＣ１２〜Ｃ１６とを取得し、上述した表示処理を実現するよう端末装置１００を制御する。ここで、アプリケーションは、上述した表示処理を実現するため、制御情報の配信を受付けてもよく、予めアプリケーションプログラム内に含んでいてもよい。
【００５１】
〔３．配信システムの構成〕
以下、上記した表示処理を実現する端末装置１００等について説明する。まず、図２を用いて、実施形態に係る配信システム１の構成について説明する。図２は、実施形態に係る配信システムの構成例を示す図である。図２に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図２に示す配信システム１には、複数台の端末装置１００や、複数台の広告主端末１０や、複数台の広告配信サーバ２０や、複数台のコンテンツ配信サーバ３０が含まれてもよい。
【００５２】
端末装置１００は、利用者による操作にしたがって、コンテンツ配信サーバ３０からウェブページＣ１０を取得し、ウェブページＣ１０にコンテンツＣ１２〜Ｃ１６の取得を要求する取得命令が含まれる場合には、コンテンツＣ１２〜Ｃ１６を広告配信サーバ２０から取得する。また、端末装置１００は、上述した表示処理を実現する制御情報の配信を広告配信サーバ２０から受付けた場合は、かかる制御情報に従って動作し、表示処理を実現する。
【００５３】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、コンテンツＣ２０等の広告コンテンツとして広告配信サーバ２０に入稿する。例えば、広告主端末１０は、広告コンテンツとして、コンテンツＣ１２〜Ｃ１６を広告配信サーバ２０に入稿する。
【００５４】
また、広告主端末１０は、コンテンツＣ１２〜Ｃ１６として、静止画像や、動画像や、テキストデータや、ランディングページを取得するためのＵＲＬ（Uniform  Resource  Locator）などを広告配信サーバ２０に入稿する。例えば、広告主は、広告主端末１０を介して、コンテンツＣ１２〜Ｃ１６および動画像Ｍ１０の登録を行う。なお、広告主は、コンテンツＣ１２〜Ｃ１６に変えて、動画像Ｍ１０と内容が同一であって、表示サイズが動画像Ｍ１０よりも小さい動画像（すなわち、表示領域Ｃ１１内に配置された表示される動画像）の登録を行ってもよい。
【００５５】
また、広告主は、広告コンテンツの入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００５６】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所や利用者の属性等から利用者と広告コンテンツとのマッチングを行い、マッチングの結果配信対象となる広告コンテンツを端末装置１００に配信する。また、広告配信サーバ２０は、上述した表示処理を実現するための制御情報を広告コンテンツであるコンテンツＣ１２〜Ｃ１６とともに端末装置１００に配信する。この制御情報は、例えば、ＪａｖａＳｃｒｉｐｔ（登録商標）やＣＳＳ（Cascading  Style  Sheets）等のスクリプト言語により記述される。
【００５７】
コンテンツ配信サーバ３０は、端末装置１００にウェブページＣ１０を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページＣ１０を端末装置１００に配信する。なお、コンテンツ配信サーバ３０は、各種情報が配置されたポータルサイト等のウェブページを配信するサーバであってもよい。
【００５８】
ここで、コンテンツ配信サーバ３０によって配信されるウェブページＣ１０には、表示領域Ｃ１１が設定されるとともに、表示領域Ｃ１１内に配置して表示される広告コンテンツを広告配信サーバ２０から取得するよう指示する取得命令が含まれる。例えば、ウェブページＣ１０を形成するＨＴＭＬファイル等には、広告配信サーバ２０のＵＲＬや、広告コンテンツを取得して、表示領域Ｃ１１に配置して表示させるための各種スクリプト等が取得命令として記述される。この場合、端末装置１００は、ＨＴＭＬファイル等に記述されているＵＲＬにアクセスすることで、広告配信サーバ２０からコンテンツＣ１２〜Ｃ１６を広告コンテンツとして取得する。
【００５９】
なお、コンテンツ配信サーバ３０から端末装置１００に配信される各種データは、実際にはウェブページを形成するＨＴＭＬファイルや画像、ウェブページＣ１０とともに表示される動画像等である。また、表示領域Ｃ１１は、ウェブページＣ１０を形成するＨＴＭＬファイル等に所定の表示領域として記述されていてもよく、例えば、タイルの１つとして配信されてもよい。このように、表示領域Ｃ１１がタイルの１つとして配信される場合、表示領域Ｃ１１内に表示する広告コンテンツを取得させる取得命令が、表示領域Ｃ１１部分の配信とともに、端末装置１００へと配信されることとなる。
【００６０】
〔４．広告配信サーバの構成〕
次に、図３を用いて、実施形態に係る広告配信サーバ２０の構成について説明する。図３は、実施形態に係る広告配信サーバの構成例を示す図である。図３に示すように、広告配信サーバ２０は、通信部２１と、記憶部２２と、制御部２３とを有する。
【００６１】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００６２】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００６３】
ここで、図４は、実施形態に係る広告データベースに格納された情報の一例を示す図である。図４に示した例では、広告データベース２４は、広告主ＩＤ、広告コンテンツ、インプレッション数、インプレッション保証数、対価といった項目を有する。なお、広告データベース２４は、コンテンツと利用者とのマッチングを行うための情報や、ＣＴＲ（Click  Through  Rate）といった情報をさらに記憶してもよい。
【００６４】
「広告主ＩＤ」は、広告主または広告主端末１０を識別するための識別情報を示す。「広告コンテンツ」は、広告主端末１０から入稿されたコンテンツ、すなわち、コンテンツＣ１２〜Ｃ１６、動画像Ｍ１０等の広告に係るコンテンツを示す。なお、図４では「広告コンテンツ」に「Ｃ１２〜Ｃ１６」や「Ｍ１０」といった概念的な情報が格納される例を示したが、実際には、共通する情報を利用者に伝えようとする個別の画像、動画像、音声と画像、テキストデータ、ゲームのデータ、ゲーム形式の広告等、各コンテンツが所在するＵＲＬ、または、これらの格納場所を示すファイルパス名などが格納される。
【００６５】
広告データベース２４には、広告コンテンツとして、コンテンツＣ１２〜Ｃ１６、動画像Ｍ１０の他にも、上述した表示処理の実行を指示する表示指示が登録される。かかる表示指示には、例えば、コンテンツＣ１２〜Ｃ１６を表示領域Ｃ１１のどの位置に配置して表示するか、コンテンツＣ１３〜Ｃ１６をどのタイミングで表示するか、コンテンツＣ１３〜Ｃ１６の切替をどのタイミングで表示するか（すなわち、動画像をどのタイミングで再生するか）等を示す設定値が含まれる。また、表示指示には、どのような操作が行われた時に動画像Ｍ１０を取得するか、どのような操作が行われた時に動画像Ｍ１０の再生を開始するか、どのような態様でコンテンツＣ１３〜Ｃ１６の表示を動画像Ｍ１０に切替えるか等といった設定値が含まれる。なお、上述した表示指示は、例えば、広告主が広告コンテンツを登録する際に、広告主によって任意の設定が行われるものとする。
【００６６】
「インプレッション数」は、広告コンテンツが表示された回数を示す。より具体的には、「インプレッション数」は、コンテンツＣ１２〜Ｃ１６が表示された回数、コンテンツＣ１３〜Ｃ１６を動画像として再生した回数、または、動画像Ｍ１０が再生された回数を示す。また、「インプレッション保証数」は、対価に対して保証されている広告コンテンツの表示回数を示す。また、「対価」は、「インプレション保証数」だけ広告コンテンツが表示された際に広告主から支払われる報酬を示す。すなわち、広告配信サーバ２０は、広告に係るコンテンツをインプレッション保証型で配信するサーバである。
【００６７】
すなわち、図４では、広告主ＩＤ「Ｂ１０」によって識別される広告主が、コンテンツＣ１２〜Ｃ１６、動画像Ｍ１０を広告コンテンツとして入稿した例を示している。また、図４では、コンテンツＣ１２〜Ｃ１６、動画像Ｍ１０のインプレッション数が「１００００」であり、インプレッション保証数が「２００００」であり、インプレッション保証数だけコンテンツＣ１２〜Ｃ１６、動画像Ｍ１０が表示された際の課金額が「ａａａ」である例を示している。
【００６８】
なお、広告コンテンツが選択される度に課金が行われるクリック課金形式で広告に係るコンテンツを配信する場合は広告データベース２４には、コンテンツが選択された回数や、コンテンツが選択された際の課金額等が登録される。また、配信要求を受信した際に、入札形式で広告コンテンツを選択し、選択した広告コンテンツを配信する場合は、広告データベース２４には、１インプレッションあたりの報酬として広告主が設定した広告料金である入札価格や、ＣＴＲ等が登録される。
【００６９】
図３に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００７０】
図３に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００７１】
入稿受付部２５は、広告主端末１０から、対価の指定とともに広告コンテンツであるコンテンツＣ１２〜Ｃ１６、動画像Ｍ１０の入稿や表示指示を受付ける。かかる場合、入稿受付部２５は、コンテンツＣ１２〜Ｃ１６、動画像Ｍ１０、表示指示、広告主ＩＤ、及び受付けた対価の値を対応付けて広告データベース２４に登録する。
【００７２】
要求受付部２６は、端末装置１００から広告コンテンツの取得要求を受け付ける。例えば、要求受付部２６は、広告コンテンツの取得要求として、ＨＴＴＰリクエストを受け付ける。
【００７３】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。
【００７４】
かかるマッチングにおいては、インプレッション数が、インプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。
【００７５】
また、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、利用者の属性情報（サイコグラフィック属性、デモグラフィック属性など）とマッチする広告コンテンツを抽出するターゲティング配信と呼ばれる広告配信手法を用いてもよい。その後、広告選択部２７は、配信対象として選択された広告コンテンツを配信部２８に出力する。
【００７６】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す内容の表示処理を端末装置１００に実行させるための制御情報を生成する。その後、配信部２８は、生成した制御情報と、広告コンテンツとを端末装置１００に対して配信する。
【００７７】
〔５．コンテンツ配信サーバの構成〕
次に、図５を用いて、実施形態に係るコンテンツ配信サーバ３０の構成について説明する。図５は、実施形態に係るコンテンツ配信サーバの構成例を示す図である。図５に示すように、コンテンツ配信サーバ３０は、通信部３１と、コンテンツ記憶部３２と、制御部３３とを有する。
【００７８】
通信部３１は、例えば、ＮＩＣ等によって実現される。そして、通信部３１は、ネットワークＮと有線または無線で接続され、端末装置１００や広告配信サーバ２０との間で情報の送受信を行う。
【００７９】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００８０】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００８１】
図５に示すように、制御部３３は、受付部３４と、配信部３５とを有し、以下に説明する情報処理の機能や作用を実現または実行する。なお、制御部３３の内部構成は、図５に示した構成に限られず、後述する情報処理を行う構成であれば他の構成であってもよい。また、制御部３３が有する各処理部の接続関係は、図５に示した接続関係に限られず、他の接続関係であってもよい。
【００８２】
受付部３４は、端末装置１００からウェブページの取得要求を受け付ける。例えば、受付部３４は、ウェブページの取得要求として、ＨＴＴＰリクエストを受け付ける。
【００８３】
配信部３５は、受付部３４によってウェブページの取得要求が受け付けられた場合に、ウェブページを端末装置１００に配信する。具体的には、配信部３５は、コンテンツ記憶部３２から取得要求対象のウェブページをコンテンツ記憶部３２から取得し、取得したウェブページを端末装置１００に配信する。かかる場合、端末装置１００は、ウェブページＣ１０を受信すると、広告配信サーバ２０に対して広告の配信要求を送信し、応答として受信した広告コンテンツを表示する。そして、端末装置１００は、利用者の操作に応じて、広告コンテンツを変更する表示処理を実行する。
【００８４】
〔６．端末装置の構成〕
次に、図６を用いて、実施形態に係る端末装置１００の構成について説明する。図６は、実施形態に係る端末装置の構成例を示す図である。図６に示すように、端末装置１００は、通信部１１０と、入力部１２０と、出力部１３０と、物理センサ１４０と、制御部１５０とを有する。
【００８５】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【００８６】
入力部１２０は、利用者から各種操作を受け付ける入力装置である。例えば、入力部１２０は、キーボードやマウスや操作キー等によって実現される。出力部１３０は、各種情報を表示するための表示装置であり、すなわち、画面である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【００８７】
物理センサ１４０は、端末装置１００の物理的な状態を検知するセンサである。例えば、物理センサ１４０は、端末装置１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【００８８】
制御部１５０は、例えば、ＣＰＵやＭＰＵ等によって、端末装置１００内部の記憶装置に記憶されている各種プログラム（情報表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００８９】
図６に示すように、制御部１５０は、要求部１５１と、操作制御部１５２と、表示制御部１５３とを有し、以下に説明する情報処理の機能や作用を実現または実行する。なお、制御部１５０の内部構成は、図６に示した構成に限られず、後述する情報処理を行う構成であれば他の構成であってもよい。また、制御部１５０が有する各処理部の接続関係は、図６に示した接続関係に限られず、他の接続関係であってもよい。
【００９０】
要求部１５１は、操作制御部１５２からウェブページＣ１０のＵＲＬを受信した場合は、コンテンツ配信サーバ３０に対して受信したＵＲＬが示すウェブページＣ１０の取得要求を送信する。また、要求部１５１は、コンテンツ配信サーバ３０から受信したウェブページＣ１０に取得命令が含まれる場合に、広告コンテンツの取得要求を広告配信サーバ２０に送信する。
【００９１】
操作制御部１５２は、入力部１２０を介して受け付けた利用者の操作にしたがって、各種制御を実行する。例えば、操作制御部１５２は、利用者が入力部１２０に対してウェブページＣ１０の表示操作を行った場合は、表示対象となるウェブページＣ１０のＵＲＬを要求部１５１に出力する。また、操作制御部１５２は、入力部１２０を介して受け付けたスクロール操作やタップ操作等、利用者の操作の内容を表示制御部１５３に出力する。
【００９２】
表示制御部１５３は、受信したウェブページおよび広告コンテンツを出力部１３０に表示し、上述した表示処理を実行する。例えば、表示制御部１５３は、制御部１５０が、広告コンテンツとともに配信される制御情報を実行することで、図６に示すように、取得部１５４、配置部１５５、および表示部１５６として動作し、表示処理を実行する。取得部１５４、配置部１５５、および表示部１５６は、例えば、ＣＰＵやＭＰＵ等によって、制御情報がＲＡＭを作業領域として実行されることにより実現される。
【００９３】
取得部１５４は、表示サイズが縦長の動画像を取得する。より具体的には、取得部１５４は、表示領域Ｃ１１内に配置して表示するためのコンテンツとして、コンテンツＣ１２を取得する。また、取得部１５４は、表示領域Ｃ１１内に配置して表示するための動画像として、アスペクト比が画面の縦横比と略同一の画像であって、表示サイズが画面よりも小さい複数の画像であるコンテンツＣ１３〜Ｃ１６、すなわち、動画像として表示されるコンテンツＣ１３〜Ｃ１６を取得する。また、取得部１５４は、画面上に表示させたコンテンツＣ１３〜Ｃ１６のいずれかが選択された場合には、コンテンツＣ１３〜Ｃ１６を順次切り替えることで実現される動画像と同じ内容の動画像であって、表示サイズが画面と略同一の動画像Ｍ１０を取得する。
【００９４】
配置部１５５は、取得部１５４によって取得された動画像を表示領域Ｃ１１内に配置する。例えば、配置部１５５は、取得部１５４が取得したコンテンツＣ１２を表示領域Ｃ１１内に配置する。また、配置部１５５は、ウェブページＣ１０に対するスクロール操作により、表示領域Ｃ１１のうち、所定の領域が画面内に表示された場合には、動画像として表示されるコンテンツＣ１３〜Ｃ１６を表示領域Ｃ１１の同一の位置に配置する。
【００９５】
表示部１５６は、表示サイズが縦長のウェブページＣ１０内に配置された横長の表示領域Ｃ１１に、表示サイズが縦長の動画像であって、表示サイズが画面より小さい動画像を配置して表示する。より具体的には、表示部１５６は、縦方向の表示サイズが表示領域Ｃ１１の縦方向の表示サイズと同じ動画像を表示領域Ｃ１１内に配置して表示する。
【００９６】
例えば、表示部１５６は、スクロール操作が行われた場合には、スクロール操作の内容に従って、ウェブページＣ１０をスクロールさせる。そして、表示部１５６は、スクロール操作の結果、ウェブページＣ１０のうち表示領域Ｃ１１が画面内に表示された場合には、表示領域Ｃ１１内にコンテンツＣ１２が配置されているといった態様で、ウェブページＣ１０を表示する。
【００９７】
また、表示部１５６は、表示領域Ｃ１１のうち所定の領域が画面内に表示された場合には、コンテンツＣ１２の一部にコンテンツＣ１３を重ねて表示するとともに、コンテンツＣ１３〜Ｃ１６を順次切り替えて表示することで、表示領域Ｃ１１内に、表示サイズが画面より小さい（表示領域Ｃ１１よりも小さい）縦長の動画像を再生した状態で表示する。
【００９８】
また、表示部１５６は、コンテンツＣ１２〜Ｃ１６が利用者によって選択された場合には、画面の表示を所定のコンテンツに遷移させる。例えば、表示部１５６は、コンテンツＣ１２が表示された領域を利用者がタップした場合には、コンテンツＣ１２にリンクが設定されたランディングページを画面上に表示する。一方、表示部１５６は、コンテンツＣ１３〜Ｃ１６が表示された領域を利用者がタップした場合には、コンテンツＣ１３〜Ｃ１６を順次切り替えながら、その表示サイズを徐々に拡大するとともに、表示サイズが所定の閾値を超えた場合には、取得部１５４によって取得された動画像Ｍ１０を画面全体に表示する。
【００９９】
〔７．表示処理のバリエーション〕
上述した説明では、図１に例示した表示態様を用いながら、端末装置１００による表示処理の一例について説明した。しかしながら、実施形態は、これに限定されるものではない。以下、端末装置１００が実行する表示処理のバリエーションについて説明する。なお、以下に説明する表示処理は、例えば、取得部１５４、配置部１５５、および表示部１５６が発揮する処理により実現されるが、実施形態は、これに限定されるものではない。
【０１００】
〔７−１．動画像の示唆について〕
上述した説明では、端末装置１００は、表示領域Ｃ１１に静止画像であるコンテンツＣ１２を配置し、表示領域Ｃ１１の全体が画面内に表示された場合等には、コンテンツＣ１２にコンテンツＣ１３〜Ｃ１６を重ねて表示することで、表示領域Ｃ１１内に、アスペクト比が画面と略同一であって、表示サイズが画面よりも小さい動画像を配置して表示した。しかしながら、実施形態は、これに限定されるものではない。例えば、表示領域Ｃ１１内に表示する動画像の表示サイズが画面と比較して小さい場合は、ウェブページＣ１０のスクロール中に表示されているコンテンツが動画像であると利用者が認識できない場合がある。
【０１０１】
そこで、端末装置１００は、動画像の存在を示唆する表示を行うことで、利用者の興味を動画像に向けてもよい。例えば、端末装置１００は、背面に配置されたコンテンツを透過させる領域であって、表示サイズが横長の透過領域Ｃ２１が配置されたウェブページＣ２０の配信を受付ける。このような場合、端末装置１００は、表示サイズを変更することなく、コンテンツＣ１３〜Ｃ１６を透過領域Ｃ２１内に配置して順次切替ながら表示するとともに、コンテンツＣ１３〜Ｃ１６を拡大させるとともに輪郭を不明確にした状態で、ウェブページＣ２０の背面に配置して順次切替ながら表示してもよい。すなわち、端末装置１００は、表示サイズが画面や透過領域Ｃ２１よりも小さい動画像を透過領域Ｃ２１内に配置して表示するとともに、その動画像の表示サイズを画面と略同一の大きさまで拡大した動画像であって、輪郭を不鮮明にした動画像をウェブページＣ２０の背面に配置して表示してもよい。
【０１０２】
すなわち、利用者に動画像を広告コンテンツとして提供する場合、表示サイズが大きい（すなわち、解像度が高い）動画像を取得した場合には、通信量が増大し、利用者の印象を悪化させる恐れがある。一方で、表示サイズが小さい（すなわち、解像度が低い）動画像を取得した場合には、通信量を削減することができるものの、利用者が動画像に気づかない恐れがある。そこで、端末装置１００は、表示サイズが小さい動画像を取得して透過領域Ｃ２１内に表示するとともに、取得した動画像の解像度を変更することなく、そのまま表示サイズを拡大し、透過領域Ｃ２１を有するウェブページＣ２０の背面に配置する。
【０１０３】
なお、解像度が低い動画像の表示サイズを拡大した場合には、撮像対象の輪郭にジャギーが生じやすくなる。そこで、端末装置１００は、取得した動画像の表示サイズを拡大させるとともに、撮像対象の輪郭を不鮮明にした状態で（いわゆる「ぼかし」の処理を適用した状態で）、ウェブページＣ２０の背面に配置して表示する。この結果、端末装置１００は、表示サイズが画面よりも小さい動画像を１つ取得するだけで、動画像Ｍ１０を示唆する表示サイズが小さい動画像を透過領域Ｃ２１内に表示するとともに、透過領域Ｃ２１の他の領域に、動画像Ｍ１０を示唆する動画像であって、表示サイズが画面と略同一の動画像の一部を表示するといった複雑な表示態様を実現することができる。
【０１０４】
以下、図７を用いて、端末装置１００が実行する表示処理のバリエーションについて説明する。図７は、実施形態に係る端末装置が実行する表示処理のバリエーションについて説明する図である。なお、図７に示す例では、端末装置１００が実行する表示処理のバリエーションを第１状態〜第６状態に分けて記載した。まず端末装置１００は、横長の透過領域Ｃ２１が配置された縦長のコンテンツであるウェブページＣ２０の配信を受付ける。このような場合、端末装置１００は、透過領域Ｃ２１に表示するコンテンツの配信要求を広告配信サーバ２０に送信し、表示サイズが画面よりも小さい画像であって、アスペクト比が画面と略同一の画像、すなわち、縦長の画像Ｃ１３〜Ｃ１６の配信を受付ける。
【０１０５】
このような場合、端末装置１００は、透過領域Ｃ２１の画面左側の端にコンテンツＣ１３〜Ｃ１６を配置する。また、端末装置１００は、各コンテンツＣ１３〜Ｃ１６の解像度を変更せずに表示サイズを画面と略同一の大きさまで拡大したコンテンツＣ２３〜Ｃ２６をウェブページＣ２０の背面に配置する。そして、端末装置１００は、各コンテンツＣ１３〜Ｃ１６、Ｃ２３〜Ｃ２６を順次切り替えて表示することとなる。
【０１０６】
例えば、図８は、実施形態にかかる端末装置がコンテンツを配置する処理の一例を示す図である。例えば、端末装置１００は、ウェブページＣ２０に配置された透過領域Ｃ２１内に、縦方向の表示サイズが透過領域Ｃ２１と略同一であって、縦長の画像であるコンテンツＣ１３を配置する。また、端末装置１００は、コンテンツＣ１３の解像度を変更することなく、表示サイズを画面（出力部１３０）と略同一まで拡大したコンテンツＣ２３を配置する。この結果、例えば、端末装置１００は、透過領域Ｃ２１の一部にコンテンツＣ１３が配置され、さらに、透過領域Ｃ２１のうちコンテンツＣ１３が配置されていない領域に、コンテンツＣ１３を拡大してぼかしたコンテンツＣ２３の一部が透過して見えているといった態様で、コンテンツＣ１３、Ｃ２３を表示することができる。
【０１０７】
以下、図７に戻り、端末装置１００が実行する表示処理のバリエーションの一例について説明する。例えば、端末装置１００は、第１状態に示すように、ウェブページＣ２０を表示し、利用者の指Ｆ１０によるスクロール操作に従って、ウェブページＣ２０と透過領域Ｃ２１内に配置されたコンテンツＣ１３〜Ｃ１６を画面上方向にスクロールさせる。この結果、端末装置１００は、第２状態に示すように、透過領域Ｃ２１が画面内に表示されると、コンテンツＣ１３を透過領域Ｃ２１の左端に配置して表示するとともに、ウェブページＣ２０の背面に配置されたコンテンツＣ２３のうち、透過領域Ｃ２１のうちコンテンツＣ１３が配置されていない領域と重なった範囲を表示することとなる。
【０１０８】
また、端末装置１００は、利用者がさらに上スクロール操作を行った場合には、ウェブページＣ２０を画面上方向にスクロールさせる。そして、端末装置１００は、第３状態に示すように、透過領域Ｃ２１内のコンテンツＣ１３をコンテンツＣ１４に切替え、ウェブページＣ２０の背面に配置されたコンテンツＣ２３をコンテンツＣ２４に切替える。この結果、端末装置１００は、コンテンツＣ１４を透過領域Ｃ２１の左端に配置して表示するとともに、ウェブページＣ２０の背面に配置されたコンテンツＣ２４のうち、透過領域Ｃ２１のうちコンテンツＣ１４が配置されていない領域と重なった範囲を表示することとなる。
【０１０９】
また、端末装置１００は、利用者がさらにスクロール操作を行った場合には、第４状態に示すように、透過領域Ｃ２１を画面の上端まで移動させる。また、端末装置１００は、透過領域Ｃ２１内のコンテンツＣ１４をコンテンツＣ１５に切替え、ウェブページＣ２０の背面に配置されたコンテンツＣ２４をコンテンツＣ２５に切替える。この結果、端末装置１００は、コンテンツＣ１５を透過領域Ｃ２１の左端に配置して表示するとともに、ウェブページＣ２０の背面に配置されたコンテンツＣ２５のうち、透過領域Ｃ２１のうちコンテンツＣ１５が配置されていない領域と重なった範囲を表示することとなる。
【０１１０】
また、端末装置１００は、第５状態に示すように、透過領域Ｃ２１内のコンテンツＣ１５をコンテンツＣ１６に切替え、ウェブページＣ２０の背面に配置されたコンテンツＣ２５をコンテンツＣ２６に切替える。この結果、端末装置１００は、コンテンツＣ１６を透過領域Ｃ２１の左端に配置して表示するとともに、ウェブページＣ２０の背面に配置されたコンテンツＣ２６のうち、透過領域Ｃ２１のうちコンテンツＣ１６が配置されていない領域と重なった範囲を表示することとなる。また、端末装置１００は、利用者の指Ｆ１０がコンテンツＣ１６が表示された領域を選択した場合、または、コンテンツＣ２６が表示された領域を選択した場合には、第６状態に示すように、動画像Ｍ１０を取得して表示する。
【０１１１】
このように、端末装置１００は、表示サイズが画面や透過領域Ｃ２１よりも小さい動画像を透過領域Ｃ２１内に配置して表示するとともに、その動画像の表示サイズを画面と略同一の大きさまで拡大した動画像であって、輪郭を不鮮明にした動画像をウェブページＣ２０の背面に配置して表示する。このような表示を行った場合、端末装置１００は、透過領域Ｃ２１内に表示サイズが小さい動画像を配置して表示するとともに、透過領域Ｃ２１の他の領域に、表示サイズを拡大した動画像の一部を表示することとなる。この結果、透過領域Ｃ２１内に動きのあるコンテンツを配置して表示することができるので、端末装置１００は、動画像に対する利用者の興味を生じさせることができる。
【０１１２】
なお、例えば、端末装置１００は、透過領域Ｃ２１のうち、コンテンツＣ１３〜Ｃ１６が表示されていない領域に他のコンテンツを配置してもよい。例えば、端末装置１００は、コンテンツＣ１３〜Ｃ１６を順次切り替えることで表示される動画像の再生や一時停止を行うための操作ボタンを、透過領域Ｃ２１内に配置して表示してもよい。
【０１１３】
また、端末装置１００は、表示サイズが画面と略同一の動画像Ｍ１０のうち一部の領域に、所定のウェブページ等を表示させるためのオブジェクト（画像等）を重畳して表示させてもよい。例えば、端末装置１００は、利用者がコンテンツＣ１３〜Ｃ１６を選択した場合には、動画像Ｍ１０を表示するとともに、特設サイトへのリンクが設定された画像を動画像Ｍ１０の一部領域にオーバーレイ状態で表示する。そして、端末装置１００は、利用者が画像を選択した場合には、特設サイトを表示する。このような表示を行うことで、端末装置１００は、所定のウェブページを表示させるオブジェクトを見つけさせるために、ウェブページＣ１０のスクロールや動画像の選択を促すことができる。
【０１１４】
〔７−２．コンテンツの出し分けについて〕
上述した例では、端末装置１００は、利用者がコンテンツＣ１２〜Ｃ１６を選択した際に、動画像Ｍ１０を取得して表示した。しかしながら、実施形態は、これに限定されるものではない。例えば、端末装置１００は、利用者が選択したコンテンツに応じて、ランディングページや動画像Ｍ１０の出し分けを行ってもよい。
【０１１５】
例えば、図９は、端末装置がコンテンツの出し分けを行う処理の一例を示す図である。なお、図９に示す例では、利用者がコンテンツＣ１２を選択した際と、コンテンツＣ１３を選択した際とで異なるコンテンツの出し分けを行う処理を第１状態〜第３状態に分けて記載した。例えば、端末装置１００は、第１状態に示すように、ウェブページＣ１０に配置された表示領域Ｃ１１内に、コンテンツＣ１２を配置するとともに、コンテンツＣ１２の前面にコンテンツＣ１３を配置して表示する。
【０１１６】
ここで、コンテンツＣ１３が表示されている領域が選択された場合には、利用者が動画像に対して興味を有したと推定される。そこで、端末装置１００は、コンテンツＣ１３が表示されている領域が選択されると、第２状態に示すように、動画像Ｍ１０を取得して表示する。一方、コンテンツＣ１２のうちコンテンツＣ１３が重なっていない領域が選択された場合には、利用者がコンテンツＣ１２が示す情報に興味を有したと推定される。そこで、端末装置１００は、コンテンツＣ１２が表示されている領域が選択されると、第３状態に示すように、コンテンツＣ１２と対応する所定のランディングページＬ１０を表示する。このように、端末装置１００は、利用者が選択したコンテンツに応じて、ランディングページＬ１０や動画像Ｍ１０の出し分けを行うので、利用者が興味を有した情報に即して、各種のコンテンツを提供することができる。
【０１１７】
〔７−３．動画像の配置位置について〕
また、端末装置１００は、コンテンツＣ１３〜Ｃ１６を順次切り替えることにより表示される動画像を、表示領域Ｃ１１内に配置されたコンテンツＣ１２の右側に配置して表示した。しかしながら、実施形態は、これに限定されるものではない。例えば、端末装置１００は、動画像をコンテンツＣ１２の左側に配置して表示してもよい。また、端末装置１００は、コンテンツＣ１２の右側に第１の動画像を配置し、コンテンツＣ１２の左側に第１の動画像とは異なる第２の動画像を配置して表示してもよい。このような表示態様が採用される場合、端末装置１００は、第１の動画像が選択された際と第２の動画像が選択された際とで、異なる動画像やランディングページを表示してもよい。
【０１１８】
また、端末装置１００は、表示領域Ｃ１１や透過領域Ｃ２１のうち、任意の位置に動画像を配置して表示してよい。すなわち、端末装置１００は、縦長のウェブページＣ１０、Ｃ２０のうち、横長の表示領域Ｃ１１や透過領域Ｃ２１に、縦長の動画像を配置して表示するのであれば、任意の位置に動画像を配置して表示してよい。
【０１１９】
〔７−４．動画像の再生について〕
上述した説明では、端末装置１００は、表示領域Ｃ１１や透過領域Ｃ２１に配置した縦長の動画像を再生させた状態で表示した。ここで、端末装置１００は、動画像を自動で再生してもよく、利用者が選択した際に再生を開始するようにしてもよい。すなわち、端末装置１００は、動画像を任意の再生態様で再生させてよい。
【０１２０】
また、上述した例では、端末装置１００は、動画像とウェブページＣ１０とを同時に表示することができないブラウザ等に対応するため、コンテンツＣ１３〜Ｃ１６を順次切り替えることで動画像とウェブページＣ１０とを表示した。しかしながら、実施形態は、これに限定されるものではない。例えば、端末装置１００は、ウェブページＣ１０と動画像とを同時に表示可能なアプリケーションがインストールされている場合は、コンテンツＣ１３〜Ｃ１６に変えて、表示サイズが表示領域Ｃ１１よりも小さい動画像の配信を受付け、受付けた動画像を表示領域Ｃ１１内に配置して表示してもよい。
【０１２１】
また、例えば、端末装置１００は、表示領域Ｃ１１内に動画像Ｍ１０とは異なる動画像を表示してもよい。例えば、端末装置１００は、ある動画像のうち先頭から所定の再生位置までの領域を示す複数のコンテンツＣ１３〜Ｃ１６の配信を受付け、コンテンツＣ１３〜Ｃ１６を順次切り替えながら表示領域Ｃ１１内に表示することで、ある動画像のうち先頭から所定の再生位置までの領域を利用者に提示する。そして、端末装置１００は、利用者がコンテンツＣ１３〜Ｃ１６を選択した場合には、ある動画像のうち所定の再生位置から最後までの範囲を含む動画像Ｍ１０を取得して再生してもよい。
【０１２２】
また、例えば、端末装置１００は、利用者が表示領域Ｃ１１内に配置された動画像を選択した場合には、その動画像の解像度を変更することなく、表示サイズを画面と略同一の表示サイズに拡大して再生させるとともに、利用者が動画像の取得を要求する操作（例えば、さらなるタップ操作）が行われた場合には、解像度がより高い動画像Ｍ１０を取得して表示してもよい。
【０１２３】
〔７−５．その他〕
端末装置１００は、上述した任意の処理を適宜組み合わせて、表示処理を実行してもよい。例えば、端末装置１００は、表示領域Ｃ１１のうち所定の領域が表示されるまでは、表示領域Ｃ１１にコンテンツＣ１２を配置して表示する。そして、端末装置１００は、表示領域Ｃ１１のうち所定の領域が表示された場合には、表示領域Ｃ１１を透過領域Ｃ２１に変換し、透過領域Ｃ２１内に動画像を配置して表示するとともに、ウェブページＣ１０の背面に表示サイズを拡大した動画像を配置して表示してもよい。
【０１２４】
また、かかる組合せは、広告配信サーバ２０に広告コンテンツを登録する際、表示指示として広告主が任意に設定することができる。そして、広告配信サーバ２０は、広告主が設定した処理の組合せを端末装置１００に実行させる制御情報を生成し、生成した制御情報を端末装置１００に配信する。この結果、端末装置１００は、上述した任意の処理を広告主の設定に応じて組合せ、実行することができる。
【０１２５】
〔８．端末装置１００の処理フロー〕
次に、図１０を用いて、制御情報を実行した端末装置１００が実行する処理の手順について説明する。図１０は、実施形態に係る端末装置が実行する表示処理の流れの一例を示すフローチャートである。なお、図１０に示す例では、コンテンツＣ１２を広告コンテンツと記載し、コンテンツＣ１３〜Ｃ１６を縦長コンテンツと記載した。
【０１２６】
図１０に示す例では、端末装置１００は、利用者の操作に応じてコンテンツ配信サーバ３０にウェブページＣ１０の配信を要求し、コンテンツ配信サーバ３０からウェブページＣ１０を受信する（ステップＳ１０１）。次に、端末装置１００は、配信されたウェブページＣ１０に取得命令が含まれる場合は、広告配信サーバ２０に対して広告コンテンツと縦長コンテンツとの配信要求を送信する（ステップＳ１０２）。次に、端末装置１００は、広告コンテンツと縦長コンテンツとを受信したか否かを判定する（ステップＳ１０３）。そして、端末装置１００は、広告コンテンツと縦長コンテンツを受信していないと判定した場合は（ステップＳ１０３：Ｎｏ）、再度ステップＳ１０３を実行する。
【０１２７】
また、端末装置１００は、広告コンテンツと縦長コンテンツを受信した場合は（ステップＳ１０３：Ｙｅｓ）、ウェブページＣ１０に配置された横長の表示領域Ｃ１１に、広告コンテンツを配置して表示する（ステップＳ１０４）。そして、端末装置１００は、表示領域Ｃ１１のうち、所定の領域が表示されたか否かを判定し（ステップＳ１０５）、表示された場合には（ステップＳ１０５：Ｙｅｓ）、横長の表示領域Ｃ１１に縦長コンテンツを配置して表示するとともに（ステップＳ１０６）、表示する縦長コンテンツを順次切り替えることで（ステップＳ１０７）、縦長のウェブページＣ１０内に配置された横長の表示領域Ｃ１１に縦長の動画像を表示する。
【０１２８】
続いて、端末装置１００は、縦長コンテンツが選択されたか否かを判定し（ステップＳ１０８）、縦長コンテンツが選択された場合には（ステップＳ１０８：Ｙｅｓ）、対応する動画像Ｍ１０の取得を開始するとともに（ステップＳ１０９）、取得した動画像Ｍ１０の再生を開始する（ステップＳ１１０）。また、端末装置１００は、利用者がリンクをタップした等の処理によりウェブページを遷移させるか否かを判定する（ステップＳ１１１）。そして、端末装置１００は、ウェブページを遷移させる場合は（ステップＳ１１１：Ｙｅｓ）、ウェブページを遷移させ（ステップＳ１１２）、処理を終了する。
【０１２９】
一方、端末装置１００は、ウェブページを遷移させない場合は（ステップＳ１１１：Ｎｏ）、ステップＳ１０５を実行する。また、端末装置１００は、表示領域Ｃ１１のうち所定の領域が表示されていない場合や（ステップＳ１０５：Ｎｏ）、縦長コンテンツが選択されていない場合（ステップＳ１０８：Ｎｏ）等には、ステップＳ１１１を実行する。
【０１３０】
〔９．変形例〕
上記では、図１、図７に例示した表示態様を用いながら、端末装置１００による表示処理の一例について説明した。しかしながら、実施形態は、これに限定されるものではない。以下、端末装置１００が実行する表示処理のバリエーションについて説明する。なお、以下に説明する表示処理は、例えば、取得部１５４、配置部１５５、および表示部１５６が発揮する処理により実現されるが、実施形態は、これに限定されるものではない。
【０１３１】
〔９−１．コンテンツの態様について〕
上述した端末装置１００は、広告コンテンツであるコンテンツＣ１２〜Ｃ１６、Ｃ２３〜Ｃ２６を表示した。しかしながら、実施形態は、これに限定されるものではない。例えば、コンテンツＣ１３〜Ｃ１６とコンテンツＣ２３〜Ｃ２６とは、異なる内容の動画像であってもよい。また、端末装置１００は、コンテンツＣ１２〜Ｃ１６、Ｃ２３〜Ｃ２６を選択した際に、それぞれ異なる内容の動画像やそれぞれ異なるランディングページ等を表示してもよい。
【０１３２】
また、ウェブページＣ１０とコンテンツＣ１２〜Ｃ１６、Ｃ２３〜Ｃ２６とは、ウェブページＣ１０を配信したサーバと同一のサーバにより配信されてもよく、それぞれ異なるサーバから配信されてもよい。すなわち、上述した表示処理を実行する際に、ウェブページＣ１０やコンテンツＣ１２〜Ｃ１６、Ｃ２３〜Ｃ２６を配信する処理の態様については、任意の態様が採用可能である。
【０１３３】
〔９−２．コンテンツについて〕
上述した例では、端末装置１００が、広告に係るコンテンツＣ１２〜Ｃ１６を表示する例について説明した。しかしながら、実施形態はこれに限定されるものではない。すなわち、コンテンツＣ１２〜Ｃ１６は、広告に係るコンテンツに限定されるものではない。例えば、端末装置１００は、広告以外の文字列、模様、画像、動画像等を含む任意のコンテンツを表示してもよい。また、端末装置１００は、広告にかかるコンテンツではなく、ゲーム等を含むコンテンツＣ１２〜Ｃ１６を表示してもよく、いわゆるプレイアブル広告を含むコンテンツＣ１２〜Ｃ１６を表示してもよい。また、端末装置１００は、音声を含むコンテンツＣ１２〜Ｃ１６を表示してもよい。なお、コンテンツＣ１２〜Ｃ１６に含まれる文字列、模様、画像、動画像、ゲーム、音声等は、広告に係るものに限定されるものではない。
【０１３４】
また、端末装置１００は、ウェブページＣ１０に代えてゲームコンテンツを表示する際、ゲームのメニューやチュートリアル等の補助コンテンツをコンテンツＣ１２〜Ｃ１６として表示してもよい。また、端末装置１００は、ゲームの実行時、フラッシュやＣＳＳ等の技術により作成されたインタラクティブ形式のウェブページの表示を行う際に上述した表示処理を実行してもよい。
【０１３５】
また、端末装置１００は、ＳＮＳ（Social  Networking  Service）のコンテンツ、メッセンジャーアプリケーションの画面、カメラアプリケーションの画面、その他任意のコンテンツとともに、コンテンツＣ１２〜Ｃ１６を表示し、上述した表示処理を実行してもよい。また、端末装置１００は、ウェブページＣ１０以外にも、ゲーム、地図、音楽再生画面、動画再生画面等、任意のコンテンツを表示してもよい。
【０１３６】
〔９−３．制御情報について〕
上記した端末装置１００は、広告配信サーバ２０がコンテンツＣ１２〜Ｃ１６とともに配信する制御情報を用いて、上記した表示処理を実行した。しかしながら、実施形態は、これに限定されるものではない。例えば、端末装置１００は、上記した制御情報をコンテンツ配信サーバ３０からウェブページＣ１０とともに受信し、広告配信サーバ２０からコンテンツＣ１２〜Ｃ１６とともに制御指示を受信する。そして、端末装置１００は、コンテンツ配信サーバ３０から受信した制御情報を実行するとともに、受信した制御指示に従って表示処理を実行してもよい。
【０１３７】
また、端末装置１００は、上述した表示処理等を端末装置１００に実行させるアプリケーションをあらかじめダウンロードし、かかるアプリケーションを実行することで、上述した処理を実現してもよい。
【０１３８】
〔９−４．装置構成〕
また、上記実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図３に示した広告配信サーバ２０は、例えば、図５に示したコンテンツ記憶部３２、受付部３４、配信部３５を有する。そして、広告配信サーバ２０は、端末装置１００からウェブページの取得要求を受け付けた場合に、広告コンテンツとともに、取得命令を含まないウェブページを端末装置１００に配信する。
【０１３９】
また、上記実施形態では、広告配信サーバ２０から端末装置１００にコンテンツＣ１２〜Ｃ１６が配信される例を示したが、コンテンツ配信サーバ３０が、広告配信サーバ２０からコンテンツＣ１２〜Ｃ１６を取得してもよい。この場合、広告配信サーバ２０の要求受付部２６は、コンテンツ配信サーバ３０からコンテンツＣ１２〜Ｃ１６の取得要求を受け付ける。また、広告配信サーバ２０は、コンテンツ配信サーバ３０にコンテンツＣ１２〜Ｃ１６を配信する。また、コンテンツ配信サーバ３０は、広告配信サーバ２０から取得したコンテンツＣ１２〜Ｃ１６とともに、取得命令を含まないウェブページを端末装置１００に配信し、上述した表示処理を実現させてもよい。
【０１４０】
〔９−５．ログについて〕
ここで、端末装置１００は、コンテンツＣ１２〜Ｃ１６が表示されたか否かを示すログや、利用者によって選択されたコンテンツのログを取ってもよい。より具体的には、端末装置１００は、コンテンツＣ１２〜Ｃ１６が表示されたか否か、コンテンツＣ１３〜Ｃ１６を切替えることで動画像が再生されたか否か、コンテンツＣ１３〜Ｃ１６に代えて配信される動画像、すなわち、表示サイズが画面よりも小さい動画像が再生されたか、動画像Ｍ１０が取得または再生されたか、動画像Ｍ１０を再生させるための再生操作や停止操作が行われたか否かを示すログを取ってもよい。
【０１４１】
また、端末装置１００は、動画像の表示回数や選択回数、再生された時間等を測定してもよい。また、端末装置１００は、初期表示の後ですぐに動画像Ｍ１０を表示したか、コンテンツＣ１３〜Ｃ１６のうちどのコンテンツが表示されている際に利用者が選択し、動画像Ｍ１０を再生したか等といったログを取得してもよい。また、端末装置１００は、コンテンツＣ１３〜Ｃ１６が選択されたか否か、コンテンツＣ２３〜Ｃ２６が選択されたか否か、コンテンツＣ１３〜Ｃ１６、Ｃ２３〜Ｃ２６を何回切替えたか等といったログを取ってもよい。
【０１４２】
例えば、端末装置１００は、初期表示から利用者が上スクロール操作を行わずにウェブページＣ１０の表示を終了した場合は、コンテンツＣ１３〜Ｃ１６や動画像Ｍ１０が表示されなかった旨のログを取得してもよい。一方で、端末装置１００は、初期画面から利用者が上スクロール操作を行い、表示領域Ｃ１１が画面内に表示された場合には、コンテンツＣ１２やコンテンツＣ１３〜Ｃ１６が表示された旨のログを取ってもよい。
【０１４３】
このように端末装置１００が取得したログは、コンテンツＣ１２〜Ｃ１６、Ｃ２３〜Ｃ２６等のインプレッション数やＣＴＲの更新、コンテンツＣ１２〜Ｃ１６、Ｃ２３〜Ｃ２６等の表示に対する課金処理、および、広告主に広告効果を報告する際等に有用なログとなる。例えば、表示処理の結果、動画像Ｍ１０が再生された場合は、利用者がコンテンツＣ１２〜Ｃ１６、Ｃ２３〜Ｃ２６等に興味を示したものと予測される。また、コンテンツＣ１２〜Ｃ１６、Ｃ２３〜Ｃ２６等の表示時間が長い場合や何度も表示された場合には、コンテンツＣ１２〜Ｃ１６、Ｃ２３〜Ｃ２６等に対する興味、すなわち、動画像Ｍ１０に対する興味を利用者がより強く有したものと予測される。
【０１４４】
このため、コンテンツＣ１２〜Ｃ１６、Ｃ２３〜Ｃ２６の表示回数や表示時間を示すログや各種操作の内容を示すログ等は、利用者がコンテンツＣ１２〜Ｃ１６、Ｃ２３〜Ｃ２６等や動画像Ｍ１０に対して興味を有したか否かの指標となりえる。また、一度のアクセスでコンテンツＣ１２〜Ｃ１６、Ｃ２３〜Ｃ２６や動画像Ｍ１０を再生した回数や、操作した回数等は、利用者の広告に対する認知度を示す指標になりえる。
【０１４５】
そこで、広告配信サーバ２０は、取得された各ログを用いて、インプレッション数の更新や、課金額の変更等を行ってもよい。例えば、広告配信サーバ２０は、コンテンツＣ１２〜Ｃ１６、Ｃ２３〜Ｃ２６、動画像Ｍ１０の表示回数、表示時間、再生回数、再生時間、再生位置等に応じて課金額を変更してもよい。
【０１４６】
また、端末装置１００が取得したログは、ランディングページに配置されるコンテンツの変更に用いられてもよい。例えば、端末装置１００は、コンテンツＣ１２を選択した際と、コンテンツＣ１３を選択した際とで、同一のランディングページを取得するとともに、かかるランディングページを配信するサーバに対して、取得したログの内容等を通知し、ランディングページに配置するコンテンツを変更させてもよい。
【０１４７】
〔９−６．端末装置の操作記録〕
また、上述してきた端末装置１００は、実施形態に係るコンテンツＣ１２〜Ｃ１６、Ｃ２３〜Ｃ２６が配置されているウェブページＣ１０、Ｃ２０に対して、利用者がどれだけ端末装置１００を操作したかという記録を広告配信サーバ２０に送信してもよい。具体的には、端末装置１００は、コンテンツＣ１２〜Ｃ１６、Ｃ２３〜Ｃ２６が配置された際におけるスクロール操作の内容や回数、利用者の選択操作、利用者がコンテンツＣ１２〜Ｃ１６、Ｃ２３〜Ｃ２６を選択した位置、再生操作や停止操作の回数等を記録する。
【０１４８】
また、端末装置１００は、スクロール操作の回数、リロードした回数や、上述した表示処理、動画像Ｍ１０の内容など、コンテンツＣ１２〜Ｃ１６、Ｃ２３〜Ｃ２６を特定する情報について端末装置１００からの発信操作（例えば、ＳＮＳへの書き込みなど）など、利用者が端末装置１００に対して行う種々の操作を記録することもできる。そして、端末装置１００は、操作履歴に関する情報を広告配信サーバ２０に送信する。
【０１４９】
かかる場合、広告配信サーバ２０は、端末装置１００から配信された操作履歴に関する情報を集計し、かかる情報について分析した情報をさらに取得する。例えば、広告配信サーバ２０は、制御情報とともにコンテンツＣ１２〜Ｃ１６、Ｃ２３〜Ｃ２６を配信した場合と、配信しなかった場合とについて、スクロール操作の回数や、表示処理を実行した回数、表示したランディングページの種別やランディングページに配置されたコンテンツの種別、ＣＴＲなどの広告効果の指標を比較した情報などを取得する。
【０１５０】
ここで、制御情報とともにコンテンツＣ１２〜Ｃ１６、Ｃ２３〜Ｃ２６を配信した際にウェブページＣ１０、Ｃ２０に対して行われた操作の履歴は、広告効果を示す指標となりうる。すなわち、実施形態に係る制御情報を伴うコンテンツＣ１２〜Ｃ１６、Ｃ２３〜Ｃ２６が表示されるウェブページＣ１０、Ｃ２０においては、利用者の操作によってコンテンツＣ１２〜Ｃ１６、Ｃ２３〜Ｃ２６に対応する動画像Ｍ１０が表示され、もしくは、コンテンツＣ１２〜Ｃ１６、Ｃ２３〜Ｃ２６が選択されることにより動画像Ｍ１０または動画像Ｍ１０よりも先のウェブページ（ランディングページ）が表示されることのみならず、かかるウェブページＣ１０、Ｃ２０に対して利用者がどれだけ操作を行ったか（つまり、利用者がどれだけ画面の表示態様を変化させたか）という操作履歴自体が利用者のコンテンツＣ１２〜Ｃ１６、Ｃ２３〜Ｃ２６への興味を示す指標といえる。
【０１５１】
例えば、広告配信サーバ２０は、スクロール操作の内容、スクロール操作の回数、再生操作や停止操作の検出回数、動画像Ｍ１０の再生回数、コンテンツＣ１２〜Ｃ１６、Ｃ２３〜Ｃ２６を表示した回数、ウェブページＣ１０、Ｃ２０の滞在時間等を比較することで、実施形態に係る制御情報を伴うコンテンツＣ１２〜Ｃ１６、Ｃ２３〜Ｃ２６を表示した際に、コンテンツＣ１２〜Ｃ１６、Ｃ２３〜Ｃ２６が広く伝えようとする情報、すなわち広告に対する関心をどれくらい発生させたかを示す指標を提供することができる。
【０１５２】
したがって、広告配信サーバ２０は、広告主端末１０に端末装置１００の操作履歴に関する情報を送信することにより、実施形態に係るコンテンツＣ１２〜Ｃ１６、Ｃ２３〜Ｃ２６が表示されるウェブページＣ１０、Ｃ２０に対する広告効果の指標を示すレポートとすることができる。なお、広告配信サーバ２０は、広告主端末１０に端末装置１００の操作履歴に関する情報やログをそのまま送信してもよい。
【０１５３】
これにより、広告配信サーバ２０は、端末装置１００における実施形態に係る制御情報を伴うコンテンツＣ１２〜Ｃ１６、Ｃ２３〜Ｃ２６の表示態様の有用性を広告主に示すことができる。
【０１５４】
〔９−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した要求部１５１および操作制御部１５２は統合されてもよい。
【０１５６】
また、上記してきた各実施形態は、処理内容を矛盾させない範囲で適宜組み合わせることが可能である。
【０１５７】
〔９−８．プログラム〕
また、上述してきた実施形態に係る端末装置１００は、例えば図１１に示すような構成のコンピュータ１０００によって実現される。図１１は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１５８】
演算装置１０３０は、一次記憶装置１０４０や二次記憶装置１０５０に格納されたプログラムや入力装置１０２０から読み出したプログラム等に基づいて動作し、各種の処理を実行する。一時記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【０１５９】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１６０】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１６１】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１６２】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１６３】
例えば、コンピュータ１０００が端末装置１００として機能する場合、コンピュータ１０００の演算装置１０３０は、一次記憶装置１０４０上にロードされたプログラムを実行することにより、制御部１５０の機能を実現する。
【０１６４】
〔１０．効果〕
上述したように、端末装置１００は、表示サイズが縦長の動画像を取得し、表示サイズが縦長のウェブページＣ１０内に配置された横長の表示領域Ｃ１１内に、取得された動画像を配置して表示する。このように、端末装置１００は、横長の表示領域Ｃ１１内に、あえて縦長の動画像を配置して表示するので、表示領域Ｃ１１内に表示された動画像に対する利用者の興味を生じさせ、動画像に関連する情報の訴求効果を向上させることができる。
【０１６５】
また、端末装置１００は、動画像として、アスペクト比が画面の縦横比と略同一の動画像を取得する。また、端末装置１００は、動画像として、画面よりも表示サイズが小さい動画像を取得する。このため、端末装置１００は、表示サイズが小さくとも、利用者の目を引く動画像を表示することができるので、動画像に関連する情報の訴求効果を向上させることができる。
【０１６６】
また、端末装置１００は、動画像として、利用者により選択された際に表示サイズが画面と略同一の動画像Ｍ１０や、ランディングページＬ１０等といった所定のコンテンツに遷移可能な動画像を表示する。このため、端末装置１００は、動画像や動画像に関連するコンテンツに関する情報の訴求効果を向上させることができる。
【０１６７】
また、端末装置１００は、ウェブページＣ１０をスクロールさせる操作の結果、表示領域Ｃ１０のうち所定の範囲が画面内に表示された場合には、表示領域Ｃ１０内に動画像を配置して表示する。このため、端末装置１００は、表示領域Ｃ１０内に表示した動画像に対する興味を生じさせることができる。
【０１６８】
また、端末装置１００は、表示領域Ｃ１０内の動画像が利用者により選択された場合には、表示サイズが画面と略同一の動画像Ｍ１０を新たに取得し、取得された動画像Ｍ１０を表示する。このため、端末装置１００は、動画像に興味を持った利用者に対し、表示サイズがより大きい動画像Ｍ１０を提示することができるので、通信量の増大による利用者の印象の悪化を防ぎつつ、動画像に関する情報の訴求効果を向上させることができる。
【０１６９】
また、端末装置１００は、表示領域内Ｃ１１に配置された動画像が利用者により選択された場合には、利用者により選択された際における動画像の再生位置を示す再生位置情報に基づいた再生位置から、表示サイズが画面と略同一の動画像Ｍ１０の再生を開始する。このため、端末装置１００は、あたかも、動画像Ｍ１０の表示サイズが縮小された状態で再生され、利用者が選択した際に、再生が継続されたまま、動画像Ｍ１０の表示サイズが元に戻るといった複雑な態様で、動画像Ｍ１０を再生させることができる。
【０１７０】
また、端末装置１００は、表示領域Ｃ１１内に配置された動画像が利用者により選択された場合には、表示サイズが画面と略同一の動画像Ｍ１０のうち、利用者により選択された際における再生位置を示す再生位置情報に基づいた再生位置よりも後の範囲を取得する。このため、端末装置１００は、動画像Ｍ１０の再生に伴う通信量を削減することができる。
【０１７１】
また、端末装置１００は、表示領域Ｃ１０内の動画像が利用者により選択された場合には、選択された動画像の表示サイズを徐々に拡大し、動画像の表示サイズが画面と略同一の大きさとなった場合には、新たに取得された動画像Ｍ１０を表示する。このため、端末装置１００は、動画像の表示サイズが徐々に拡大し、解像度がより高い動画像Ｍ１０となって表示されるといった態様で、動画像Ｍ１０を提示することができるので、動画像Ｍ１０に対する利用者の興味を生じさせる結果、情報の訴求効果を向上させることができる。
【０１７２】
また、端末装置１００は、ウェブページＣ２０に配置された横長の領域であって、背面に配置されたコンテンツを透過させる透過領域Ｃ２１内に、取得した動画像を配置する。そして、端末装置１００は、ウェブページＣ２０の背面に、取得した動画像の表示サイズを拡大させるとともに輪郭を不鮮明にした動画像を配置して表示する。このため、端末装置１００は、表示サイズが小さい動画像を取得した場合であっても、動画像の存在を利用者に提示することができるので、動画像に関する情報の訴求効果を向上させることができる。
【０１７３】
また、端末装置１００は、動画像として、表示サイズが画面よりも小さい複数の画像であるコンテンツＣ１３〜Ｃ１６を取得し、動画像として取得されたコンテンツＣ１３〜Ｃ１６を表示領域Ｃ１１内に配置して表示するとともに、表示されるコンテンツＣ１３〜Ｃ１６を順次切り替える。このため、端末装置１００は、ブラウザが動画像とウェブページＣ１０との同時表示を行うことができない場合にも、ウェブページＣ１０が有する表示領域Ｃ１１内に、表示サイズが小さい動画像を配置して表示することができる。
【０１７４】
また、端末装置１００は、取得された動画像を再生した状態で表示する。このため、端末装置１００は、動画像に対する利用者の興味を生じさせる結果、動画像に関する情報の訴求効果を向上させることができる。
【０１７５】
また、端末装置１００は、利用者により選択された際に所定の第１コンテンツ（例えば、ランディングページＬ１０）へと遷移可能なコンテンツＣ１２と、利用者により選択された際に所定の第２コンテンツへ（例えば、動画像Ｍ１０）へと遷移可能な動画像が配置された表示領域Ｃ１１を表示する。このため、端末装置１００は、利用者がより興味を有すると推定されるコンテンツに対応する情報を提示することができる。
【０１７６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７７】
また、上記してきた「部（section、module、unit）」は、「手段」や「回路」などに読み替えることができる。例えば、配信部は、配信手段や配信回路に読み替えることができる。
【符号の説明】
【０１７８】
１  配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  入力部
１３０  出力部
１４０  物理センサ
１５１  要求部
１５２  操作制御部
１５３  表示制御部
１５４  表示部
１５５  消去部
【図１】
2017146430.tif 000003
【図２】
2017146430.tif 000004
【図３】
2017146430.tif 000005
【図４】
2017146430.tif 000006
【図５】
2017146430.tif 000007
【図６】
2017146430.tif 000008
【図７】
2017146430.tif 000009
【図８】
2017146430.tif 000010
【図９】
2017146430.tif 000011
【図１０】
2017146430.tif 000012
【図１１】
2017146430.tif 000013
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
コンピュータに、
表示サイズが縦長の動画像を取得する取得手順と、
表示サイズが縦長のウェブコンテンツ内に配置された横長の表示領域内に、表示サイズが横長のコンテンツを配置して表示し、前記ウェブコンテンツをスクロールさせる操作の結果、前記表示領域が画面内の所定の位置まで移動した場合は、前記取得手順により取得された動画像を前記コンテンツの前面に重ねた状態で前記表示領域内に配置して表示する表示手順と
を実行させるための情報表示プログラム。
【請求項２】
コンピュータに、
表示サイズが縦長の動画像を取得する取得手順と、
表示サイズが縦長のウェブコンテンツ内に配置された横長の表示領域であって、背面に配置されたコンテンツを透過させる表示領域内に、前記取得手順により取得された動画像を配置するとともに、前記ウェブコンテンツの背面に、表示サイズを拡大させるとともに輪郭を不鮮明にした前記動画像を配置して表示する表示手順と
を実行させるための情報表示プログラム。
【請求項３】
前記表示手順は、前記ウェブコンテンツをスクロールさせる操作の結果、前記表示領域のうち所定の範囲が画面内に表示された場合には、当該表示領域内に前記動画像を配置して表示する
ことを特徴とする請求項１または２に記載の情報表示プログラム。 
【請求項４】
前記取得手順は、前記動画像が利用者により選択された場合には、表示サイズが画面と略同一の動画像を新たに取得し
前記表示手順は、前記表示領域内に配置された動画像が利用者により選択された場合には、前記取得手順によって新たに取得された表示サイズが画面と略同一の動画像を表示する
ことを特徴とする請求項１〜３のうちいずれか１つに記載の情報表示プログラム。 
【請求項５】
前記表示手順は、前記表示領域内に配置された動画像が利用者により選択された場合には、当該利用者により選択された際における当該動画像の再生位置を示す再生位置情報に基づいた再生位置から、前記取得手順によって新たに取得された表示サイズが画面と略同一の動画像の再生を開始する
ことを特徴とする請求項４に記載の情報表示プログラム。 
【請求項６】
前記取得手順は、前記表示領域内に配置された動画像が利用者により選択された場合には、前記表示サイズが画面と略同一の動画像のうち、当該利用者により選択された際における当該動画像の再生位置を示す再生位置情報に基づいた再生位置よりも後の範囲を取得する
ことを特徴とする請求項４または５に記載の情報表示プログラム。 
【請求項７】
前記表示手順は、前記動画像が利用者により選択された場合には、前記選択された動画像の表示サイズを徐々に拡大し、当該動画像の表示サイズが前記画面と略同一の大きさとなった場合には、前記取得手順によって新たに取得された動画像を表示する
ことを特徴とする請求項４〜６のうちいずれか１つに記載の情報表示プログラム。 
【請求項８】
前記取得手順は、前記動画像として、表示サイズが画面よりも小さい複数の画像を取得し、
前記表示手順は、前記取得手順により前記動画像として取得された画像を前記表示領域内に配置して表示するとともに、表示される画像を順次切り替える
ことを特徴とする請求項１〜７のうちいずれか１つに記載の情報表示プログラム。 
【請求項９】
前記表示手順は、前記取得手順により取得された動画像を再生した状態で表示する
ことを特徴とする請求項１〜８のうちいずれか１つに記載の情報表示プログラム。 
【請求項１０】
前記表示手順は、利用者により選択された際に所定の第１コンテンツへと遷移可能なコンテンツと、前記利用者により選択された際に所定の第２コンテンツへと遷移可能な動画像とが配置された表示領域を表示する
ことを特徴とする請求項１〜９のうちいずれか１つに記載の情報表示プログラム。 
【請求項１１】
表示サイズが縦長の動画像を取得する取得部と、
表示サイズが縦長のウェブコンテンツ内に配置された横長の表示領域内に、表示サイズが横長のコンテンツを配置して表示し、前記ウェブコンテンツをスクロールさせる操作の結果、前記表示領域が画面内の所定の位置まで移動した場合は、前記取得部により取得された動画像を前記コンテンツの前面に重ねた状態で前記表示領域内に配置して表示する表示部と
を有することを特徴とする情報表示装置。 
【請求項１２】
情報表示装置が実行する情報表示方法であって、
表示サイズが縦長の動画像を取得する取得工程と、
表示サイズが縦長のウェブコンテンツ内に配置された横長の表示領域内に、表示サイズが横長のコンテンツを配置して表示し、前記ウェブコンテンツをスクロールさせる操作の結果、前記表示領域が画面内の所定の位置まで移動した場合は、前記取得工程により取得された動画像を前記コンテンツの前面に重ねた状態で前記表示領域内に配置して表示する表示工程と
を含むことを特徴とする情報表示方法。 
【請求項１３】
ウェブコンテンツを表示する端末装置から動画像の配信要求を受付けた場合には、当該端末装置が有する画面よりも表示サイズが縦長の動画像とともに制御情報を配信する配信部を備え、
前記制御情報は、
前記動画像を取得する取得手順と、
表示サイズが縦長のウェブコンテンツ内に配置された横長の表示領域内に、表示サイズが横長のコンテンツを配置して表示し、前記ウェブコンテンツをスクロールさせる操作の結果、前記表示領域が画面内の所定の位置まで移動した場合は、前記取得手順により取得された動画像を前記コンテンツの前面に重ねた状態で前記表示領域内に配置して表示する表示手順と
を実行させることを特徴とする配信装置。
【請求項１４】
表示サイズが縦長の動画像を取得する取得部と、
表示サイズが縦長のウェブコンテンツ内に配置された横長の表示領域であって、背面に配置されたコンテンツを透過させる表示領域内に、前記取得部により取得された動画像を配置するとともに、前記ウェブコンテンツの背面に、表示サイズを拡大させるとともに輪郭を不鮮明にした前記動画像を配置して表示する表示部と
を有することを特徴とする情報表示装置。
【請求項１５】
情報表示装置が実行する情報表示方法であって、
表示サイズが縦長の動画像を取得する取得工程と、
表示サイズが縦長のウェブコンテンツ内に配置された横長の表示領域であって、背面に配置されたコンテンツを透過させる表示領域内に、前記取得工程により取得された動画像を配置するとともに、前記ウェブコンテンツの背面に、表示サイズを拡大させるとともに輪郭を不鮮明にした前記動画像を配置して表示する表示工程と
を含むことを特徴とする情報表示方法。
【請求項１６】
ウェブコンテンツを表示する端末装置から動画像の配信要求を受付けた場合には、当該端末装置が有する画面よりも表示サイズが縦長の動画像とともに制御情報を配信する配信部を備え、
前記制御情報は、
前記動画像を取得する取得手順と、
表示サイズが縦長のウェブコンテンツ内に配置された横長の表示領域であって、背面に配置されたコンテンツを透過させる表示領域内に、前記取得手順により取得された動画像を配置するとともに、前記ウェブコンテンツの背面に、表示サイズを拡大させるとともに輪郭を不鮮明にした前記動画像を配置して表示する表示手順と
を実行させることを特徴とする配信装置。